(57)【要約】【課題】  表示部における表示状態を姿勢に応じて見易い表示に変更することができる電子カメラを提供する。【解決手段】  撮影情報が付加された画像データを記憶する画像記憶部３０と、前記画像記憶部に記憶された前記画像データに基づく画像を表示する表示部２４と、該電子カメラの姿勢を検出する姿勢検出部３４と、前記画像データに基づく画像を前記表示部に表示する際に、前記姿勢検出部により第１の姿勢であることが検出された場合には、前記表示部に前記画像データに基づく画像と共に前記撮影情報を表示し、前記姿勢検出部により前記第１の姿勢から第２の姿勢への変更が検出された場合に、前記表示部に前記画像データに基づく画像を表示する表示制御部２６とを備える。【選択図】  図１
2011082753.tif 000002
【特許請求の範囲】
【請求項１】
撮影情報が付加された画像データを記憶する画像記憶部と、
前記画像記憶部に記憶された前記画像データに基づく画像を表示する表示部と、
該電子カメラの姿勢を検出する姿勢検出部と、
前記画像データに基づく画像を前記表示部に表示する際に、前記姿勢検出部により第１の姿勢であることが検出された場合には、前記表示部に前記画像データに基づく画像と共に前記撮影情報を表示し、前記姿勢検出部により前記第１の姿勢から第２の姿勢への変更が検出された場合には、前記表示部に前記画像データに基づく画像を表示する表示制御部と、
を備えることを特徴とする電子カメラ。
【請求項２】
前記表示制御部は、前記第１の姿勢である場合には、前記表示部の一部に前記画像を表示し、前記第２の姿勢である場合には、前記表示部の全体に前記画像を表示することを特徴とする請求項１記載の電子カメラ。
【請求項３】
前記表示制御部は、前記第２の姿勢における前記画像の表示時間を、前記第１の姿勢における表示時間よりも長く設定することを特徴とする請求項１または２記載の電子カメラ。
【請求項４】
前記表示制御部は、前記第２の姿勢においては、前記第１の姿勢における前記画像を所定の角度で回転させて表示することを特徴とする請求項１〜３の何れか一項に記載の電子カメラ。
【請求項５】
前記第１の姿勢から前記第２の姿勢への変更は、該電子カメラを撮影レンズの光軸回りに回転させることにより行うことを特徴とする請求項１〜４の何れか一項に記載の電子カメラ。
【請求項６】
前記第１の姿勢から前記第２の姿勢への変更は、該電子カメラを撮影レンズの光軸に対して垂直方向に回転させることにより行うことを特徴とする請求項１〜４の何れか一項に記載の電子カメラ。
【請求項７】
該電子カメラを前記撮影レンズの光軸に対して垂直方向に回転させる場合には、前記撮影レンズを筐体内に収納することを特徴とする請求項６記載の電子カメラ。
【発明の詳細な説明】
【技術分野】
【０００１】
本発明は、電子カメラに関するものである。
【背景技術】
【０００２】
カメラの姿勢にかかわらず再生画像を見やすい向きでモニタに表示するデジタルカメラが存在する（例えば、特許文献１参照）。
【先行技術文献】
【特許文献】
【０００３】
【特許文献１】特開２００１−１８９８７９号公報
【発明の概要】
【発明が解決しようとする課題】
【０００４】
しかし、このデジタルカメラにおいては、モニタに画像と共に表示された撮影情報を非表示にする場合には釦の操作が必要である。
【０００５】
本発明の目的は、表示部における表示状態を姿勢に応じて見易い表示に変更することができる電子カメラを提供することである。
【課題を解決するための手段】
【０００６】
本発明の電子カメラは、撮影情報が付加された画像データを記憶する画像記憶部と、前記画像記憶部に記憶された前記画像データに基づく画像を表示する表示部と、該電子カメラの姿勢を検出する姿勢検出部と、前記画像データに基づく画像を前記表示部に表示する際に、前記姿勢検出部により第１の姿勢であることが検出された場合には、前記表示部に前記画像データに基づく画像と共に前記撮影情報を表示し、前記姿勢検出部により前記第１の姿勢から第２の姿勢への変更が検出された場合に、前記表示部に前記画像データに基づく画像を表示する表示制御部とを備えることを特徴とする。
【発明の効果】
【０００７】
本発明の電子カメラによれば、表示部における表示状態を姿勢に応じて見易い表示に変更することができる。
【図面の簡単な説明】
【０００８】
【図１】第１の実施の形態に係る電子カメラのシステム構成を示すブロック図である。
【図２】第１の実施の形態に係る表示処理を示すフローチャートである。
【図３】第１の実施の形態に係るＬＣＤ表示部における表示状態を示す図である。
【図４】第１の実施の形態に係る表示処理を示すフローチャートである。
【図５】第１の実施の形態に係る電子カメラの側面を示す図である。
【図６】第１の実施の形態に係る電子カメラを撮影レンズの光軸に対して垂直方向に回転させた状態を示す図である。
【図７】第１の実施の形態に係るＬＣＤ表示部における表示状態を示す図である。
【図８】第２の実施の形態に係る表示処理を示すフローチャートである。
【図９】第２の実施の形態に係るＬＣＤ表示部における表示状態を示す図である。
【図１０】第２の実施の形態に係る表示切替の処理を示すフローチャートである。
【図１１】第２の実施の形態に係るＬＣＤ表示部における表示状態を示す図である。
【発明を実施するための形態】
【０００９】
以下、図面を参照して本発明の第１の実施の形態に係る電子機器について電子カメラを例に説明する。図１は第１の実施の形態に係る電子カメラ２のシステム構成を示すブロック図である。図１に示すように、電子カメラ２には、ＣＰＵ１０が設けられており、ＣＰＵ１０には、撮影レンズ（図５参照）を介した被写体光を撮像して撮像信号（蓄積電荷としてのアナログ信号）を生成する撮像素子２０、撮像素子２０から出力された撮像信号を、図示しないＡ／Ｄ変換部においてＡ／Ｄ変換して画像データを生成し、この画像データを一時的に記憶する画像記憶部２２、電子カメラ２の背面に設けられ、画像データに基づく画像、撮影情報等の表示を行なうＬＣＤ表示部２４に対する表示制御を行う表示制御部２６、画像記憶部２２に記憶されている画像データに、ホワイトバランス調整、輪郭補償、ガンマ補正等の画像処理を行なう画像処理部２８、画像データを記憶するメモリカード３０、電子カメラ２の電源をオン／オフする電源スイッチ、レリーズ釦、メニュー釦、モニタ釦等を含む操作部３２、電子カメラ２の姿勢を検出する傾斜センサ３４、ＬＣＤ表示部２４に表示される画像について、表示後の経過時間を計測するタイマ２８が接続されている。
【００１０】
次に、図２に示すフローチャートを参照して、第１の実施の形態に係る電子カメラ２による画像の表示処理について説明する。まず、操作者により電子カメラ２の電源スイッチがオンされると、ＣＰＵ１０は、電子カメラ２の動作を開始する。そして、操作者は、電子カメラ２を横位置でかつ撮影レンズの光軸が水平となるように保持し（図５参照）、操作部３２のモニタ釦を押下する（ステップＳ１０）。操作者により、モニタ釦が押下されるとメモリカード３０に記憶されている画像データの中からＬＣＤ表示部２４に表示させる画像データが読出され、ＬＣＤ表示部２４において、図３に示すように画像データの画像４０及び撮影情報４２（シャッタ速度、ＩＳＯ感度、ヒストグラム、撮影時刻等）が表示される（ステップＳ１１）。
【００１１】
ＣＰＵ１０は、ＬＣＤ表示部２４に画像を表示すると、タイマ３６により表示経過時間ｔの計測を開始し、表示経過時間ｔが所定の表示時間Ｔ以上となったか否かを判断する（ステップＳ１２）。ここで、表示経過時間ｔが表示時間Ｔ以上となった場合には（ステップＳ１２、Ｙｅｓ）、ＬＣＤ表示部２４に表示された画像を非表示にする（ステップＳ１３）。一方、表示時間Ｔ以上でない場合には（ステップＳ１２、Ｎｏ）、操作者によりモニタ釦が押下されたか否かを判定する（ステップＳ１４）。モニタ釦が押下された場合には（ステップＳ１４、Ｙｅｓ）、ＬＣＤ表示部２４に表示される画像を非表示にする（ステップＳ１３）。
【００１２】
また、上述のステップＳ１４において、モニタ釦が押下されない場合には（ステップＳ１４、Ｎｏ）、操作者により、レリーズ釦が押下されたか否かを判定する（ステップＳ１５）。レリーズ釦が押下された場合には（ステップＳ１５、Ｙｅｓ）、撮影モードに入りＬＣＤ表示部２４に表示される画像を非表示にする（ステップＳ１３）。レリーズ釦が押下されない場合には（ステップＳ１５、Ｎｏ）、ステップＳ１１の処理に戻る。
【００１３】
図４は、図２に示すフローチャートの表示処理（ステップＳ１１）の詳細を示すフローチャートである。ＣＰＵ１０は、図３に示すように、ＬＣＤ表示部２４に画像４０及び撮影情報４２が表示されると（ステップＳ２０）、電子カメラ２の回転位置を検知する。即ち、図５に示すように、電子カメラ２を横位置でかつ撮影レンズの光軸４４が水平となるように保持された状態から、前方に回転する回転角度をαとし、この回転角度αを傾斜センサ３４により検出する（ステップＳ２１）。そして、検出された回転角度αが１６０°＜α＜１８０°であるか否かを判定する（ステップＳ２２）。ここで、図６に示すように、回転角度αが１７０°である場合には、１６０°＜α＜１８０°であるため（ステップＳ２２、Ｙｅｓ）、図７に示すように、ステップＳ２０において、ＬＣＤ表示部２４に表示された画像４０及び撮影情報４２を反転させ、即ち１８０°回転させてＬＣＤ表示部２４に表示する（ステップＳ２３）。この場合には、ＬＣＤ表示部２４に表示されていた撮影情報を非表示にして、ＬＣＤ表示部２４の全体に画像４８を表示する（ステップＳ２４）。また、通常の状態においてＬＣＤ表示部２４に表示する時間として設定されている表示時間Ｔ（例えばＴ＝３０秒）に、所定の延長表示時間ｔ′（例えばｔ′＝３０秒）が加算され（ステップＳ２５）、表示時間Ｔを、例えばＴ＝６０秒とする。一方、回転角度αが、１６０°＜α＜１８０°ではない場合には（ステップＳ２２、Ｎｏ）、このフローチャートにおける処理を終了する。
【００１４】
この第１の実施の形態に係る電子カメラによれば、ＬＣＤ表示部に画像を表示する際に、電子カメラ本体の姿勢に応じてＬＣＤ表示部に表示された画像の表示状態を変更することができるため、操作者による操作部の操作を必要とせず、操作者と向かい合う相手に対して、ＬＣＤ表示部に表示された画像を見易い状態で見せることができる。
【００１５】
次に、本発明の第２の実施の形態に係る電子カメラについて説明する。なお、第２の実施の形態に係る電子カメラのシステム構成は、図１に示す電子カメラのシステム構成と同様であるため、詳細な説明を省略する。また、第２の実施の形態に係る電子カメラにおいては、第１の実施の形態に係る電子カメラの構成と同一の構成には同一の符号を用いて説明を行う。
【００１６】
図８に示すフローチャートを参照して、第２の実施の形態に係る電子カメラ２における画像の表示処理を示すフローチャートである。まず、操作者により電子カメラ２の電源スイッチがオンされると、ＣＰＵ１０は、電子カメラ２の動作を開始する。そして、操作者は、電子カメラ２を横位置でかつ撮影レンズの光軸が水平となるように保持し操作部３２のモニタ釦を押下する（ステップＳ３０）。そして、操作者により、モニタ釦が押下されるとメモリカード３０に記憶されている画像データの中からＬＣＤ表示部２４に表示させる画像データが読出され、ＬＣＤ表示部２４に、図９に示すように画像データの画像５０及び撮影情報５２（シャッタ速度、ＩＳＯ感度、ヒストグラム、撮影時刻等）が表示される（ステップＳ３１）。
【００１７】
そして、ＬＣＤ表示部２４に表示されている画像５０の画像データについて、電子カメラ２が縦位置の状態で撮影されことを示す縦位置情報が付加されているか判定する（ステップＳ３２）。縦位置情報が付加されている場合には（ステップＳ３２、Ｙｅｓ）、ステップＳ３０において、モニタ釦を押下した際の、電子カメラ２の回転位置を検知する。即ち、電子カメラ２を横位置でかつ撮影レンズの光軸が水平となるように保持された状態から、撮影レンズの光軸回りに回転する回転角度をβとし、この回転角度βを傾斜センサ３４により検出する（ステップＳ３３）。そして、検出された回転角度βが７０°＜β＜１１０°であるか否かを判定する（ステップＳ３４）。ここで、モニタ釦が押下されたときに、電子カメラ２が、横位置で保持されていた場合には、回転角度βが７０°よりも小さく、７０°＜β＜１１０°でないため（ステップＳ３４、Ｎｏ）、ＬＣＤ表示部２４の表示を切替えるための処理であるステップＳ３５へ進む。
【００１８】
即ち、図１０はステップＳ３５の処理を示すフローチャートである。このフローチャートに示すように、ＣＰＵ１０は、再度、電子カメラ２の回転位置を検知する（ステップＳ５０）。即ち、傾斜センサ３４により回転角度βを検出し、検出された回転角度βが７０°＜β＜１１０°であるか否かを判定する（ステップＳ５１）。回転角度βが９０°である場合には、７０°＜β＜１１０°であるため（ステップＳ５１、Ｙｅｓ）、図１１に示すように、画像５０をＬＣＤ表示部２４に表示可能な最大の大きさで表示する（ステップＳ５２）。一方、回転角度βが７０°＜β＜１１０°でない場合には、ＬＣＤ表示部２４に画像５０及び撮影条件５２を表示する通常の表示をする（ステップＳ５３）。即ち、ステップＳ３１でＬＣＤ表示部２４に表示した状態を維持する。そして、このフローチャートにおける処理を終了する。
【００１９】
ステップＳ３５の処理が終了した場合及びステップＳ３４でＹｅｓと判定された場合には、ＣＰＵ１０は、操作者によりモニタ釦が押下されたか否かを判定する（ステップＳ３６）。モニタ釦が押下された場合には（ステップＳ３６、Ｙｅｓ）、ＬＣＤ表示部２４に表示された画像を非表示にする（ステップＳ３７）。また、モニタ釦が押下されない場合には（ステップＳ３６、Ｎｏ）、操作者により、レリーズ釦が押下されたか否かを判定する（ステップＳ４０）。レリーズ釦が押下された場合には（ステップＳ４０、Ｙｅｓ）、撮影モードに入りＬＣＤ表示部２４に表示された画像を非表示にする（ステップＳ３７）。一方、レリーズ釦が押下されない場合には、ステップＳ３３に戻る（ステップＳ４０、Ｎｏ）。
【００２０】
また、上述のステップＳ３２において、縦位置情報が付加されていない場合には（ステップＳ３２、Ｎｏ）、操作者により、モニタ釦が押下されたか否かを判定する（ステップＳ３８）。モニタ釦が押下された場合には（ステップＳ３８、Ｙｅｓ）、ＬＣＤ表示部２４に表示された画像を非表示にする（ステップＳ３７）。一方、モニタ釦が押下されない場合には（ステップＳ３８、Ｎｏ）、操作者により、レリーズ釦が押下されたか否かを判定する（ステップＳ３９）。ここで、レリーズ釦が押下された場合には（ステップＳ３９、Ｙｅｓ）、撮影モードに入りＬＣＤ表示部２４に表示された画像を非表示にする（ステップＳ３７）。一方、レリーズ釦が押下されない場合には、ステップＳ３２に戻る（ステップＳ３９、Ｎｏ）。
【００２１】
この第２の実施の形態に係る電子カメラによれば、縦位置情報が付加された画像データに基づく画像をＬＣＤ表示部に表示する際に、電子カメラ本体の姿勢に応じてＬＣＤ表示部に表示された画像の表示状態を変更することができるため、操作者による操作部の操作を必要とせず、ＬＣＤ表示部に表示された画像を見易い状態で表示することができる。
【００２２】
なお、上述の第１の実施の形態において、電子カメラ２の撮影レンズを電子カメラ２の筐体内に収納可能な場合には、傾斜センサ３４により検知した回転角度αに基づき、撮影レンズを収納してもよい。即ち、ステップＳ２２において、回転角度αが１６０°＜α＜１８０°の場合には（ステップＳ２２、Ｙｅｓ）、電子カメラ２の筐体内に撮影レンズを収納する。従って、電子カメラ２を撮影レンズの光軸に対して垂直方向に回転させる際に、撮影レンズが回転の障害となるのを防止することができる。
【符号の説明】
【００２３】
２…電子カメラ、１０…ＣＰＵ、２０…撮像素子、２４…ＬＣＤ表示部、３０…メモリカード、３２…操作部、３４…傾斜センサ、３６…タイマ。
【図１】
2011082753.tif 000003
【図２】
2011082753.tif 000004
【図３】
2011082753.tif 000005
【図４】
2011082753.tif 000006
【図５】
2011082753.tif 000007
【図６】
2011082753.tif 000008
【図７】
2011082753.tif 000009
【図８】
2011082753.tif 000010
【図９】
2011082753.tif 000011
【図１０】
2011082753.tif 000012
【図１１】
2011082753.tif 000013